(57)【特許請求の範囲】
【請求項１】
ボンネットによって上方をカバーされたエンジンルーム内にエンジンとエンジン冷却用のラジエータユニットとを配置するとともに、キャビンを備えた作業車両のためのエアコン装置であって、
前記ボンネットにコンデンサハウジングが設けられ、前記コンデンサハウジング内にエアコン用コンデンサが配置され、前記ラジエータユニットによって作り出される冷却空気流が前記コンデンサハウジングに流れ込むように前記コンデンサハウジングと前記ラジエータユニットとが接続され、
前記コンデンサハウジングは、前記ボンネットから外部に突き出した上側ハーフ部と前記ボンネットから前記エンジンルーム内に突き出した下側ハーフ部とからなり、前記上側ハーフ部と前記下側ハーフ部との境界領域に前記エアコン用コンデンサが配置されているエアコン装置。
【請求項２】
前記コンデンサハウジングに前記ラジエータユニットと連通する内側空気流通口と前記ボンネット外に開口する外側空気流通口とを有する空気流通路が形成されており、前記空気流通路に前記エアコン用コンデンサが配置されている請求項１に記載のエアコン装置。
【請求項３】
前記ボンネットの閉鎖位置と開放位置との間の開閉揺動に伴って前記コンデンサハウジングは前記閉鎖位置に対応する第１姿勢と前記開放位置に対応する第２姿勢の間で姿勢変更し、前記コンデンサハウジングは前記ボンネットの前記閉鎖位置における第１姿勢において前記コンデンサハウジングと前記ラジエータユニットとの間で冷却空気流が流通可能となるように前記ラジエータユニットと接続する請求項１または２に記載のエアコン装置。
【請求項４】
車体フレームと、車体フレーム内に形成されたエンジンルーム内に配置されたエンジン及びエンジン冷却用のラジエータユニットと、前記エンジンルームの上方をカバーするボンネットと、前記車体フレームに支持されたキャビンと、前記キャビンのためのエアコン装置とを備えた作業車両であって、
前記ボンネットにコンデンサハウジングが設けられ、前記コンデンサハウジング内にエアコン用コンデンサが配置され、前記ラジエータユニットによって生成される冷却空気流が前記コンデンサハウジングに流れ込むように前記コンデンサハウジングと前記ラジエータユニットとが接続され、
前記コンデンサハウジングは、前記ボンネットから外部に突き出した上側ハーフ部と前記ボンネットから前記エンジンルーム内に突き出した下側ハーフ部とからなり、前記上側ハーフ部と前記下側ハーフ部との境界領域に前記エアコン用コンデンサが配置されている作業車両。
【請求項５】
前記コンデンサハウジングに前記ラジエータユニットと連通する内側空気流通口と前記ボンネット外に開口する外側空気流通口とを有する空気流通路が形成されており、前記空気流通路に前記エアコン用コンデンサが配置されている請求項４に記載の作業車両。
【請求項６】
前記ボンネットに、閉鎖位置と開放位置との間で開閉揺動可能な開閉カバー部が形成されており、当該開閉カバー部に前記コンデンサハウジングが設けられ、
前記コンデンサハウジングは前記開閉カバー部の前記閉鎖位置に対応する姿勢において前記コンデンサハウジングと前記ラジエータユニットとの間で冷却空気流が流通可能となるように前記ラジエータユニットと接続する請求項４または５に記載の作業車両。
【発明の詳細な説明】
【技術分野】
【０００１】
本発明は、ボンネットによって上方をカバーされたエンジンルーム内にエンジンとエンジン冷却用ラジエータユニットとを配置するとともに、キャビンを備えた作業車両のためのエアコン装置、及びそのようなエアコン装置を備えた作業車両に関する。
【背景技術】
【０００２】
メインフレームの前後に配置された左右前輪と左右後輪と、メインフレームの後部にリンク連結されるとともに前方に延びるブームアッセンブリと、メインフレームの後部に配置されたエンジンルームと、エンジンルームの前方に配置されたキャビンとを備えた作業車両としてのスキッドステアローダが米国特許７，４２６，９０９号公報から知られている（特許文献１）。このスキッドステアローダにおいては、エンジンルームに縦置き配置されたエンジンの上方にエンジン冷却装置を構成するファン付きラジエータが配置され、このラジエータの後方でエンジンの上方にキャビン内部を冷却するエアコン装置のためのコンデンサとこのコンデンサを冷却するファンが配置されている。この従来の空調装置を構成するコンデンサはエンジンルーム内のエンジン近くに配置されているため、十分な冷却効果を得るにはファンの容量を大きくする必要がある。また、コンデンサを冷却するためファンをその回転軸が水平となるように配置していることから、エンジンルームのスペースが大きくなり、コンパクト化に関して不利である。
【０００３】
また、エアコンコンデンサを一次エアコンコンデンサと二次エアコンコンデンサとに分割し、一次エアコンコンデンサを別置きとしてその後面側にラジエータのファンシュラウドに通じるダクトを接続すると共に、二次エアコンコンデンサをインタクーラ２とラジエータとの間に配設した車両用エアコン装置も知られている(特許文献２)。この従来の車両用エアコン装置における２つのエアコンコンデンサがエンジンルームのどの場所に配置されているかは開示されておらず、それらがエンジンルーム内部に配置されているなら、そのダクトも含めてエンジンルームにおいて大きなスペースを占めることになる。
【先行技術文献】
【特許文献】
【０００４】
【特許文献１】米国特許７,４２６,９０９号公報（第３欄−第５欄、図２）
【特許文献２】特開２００４−１２２８９７号公報（段落番号００１６、図１）
【発明の概要】
【発明が解決しようとする課題】
【０００５】
本発明は、上記実情に鑑み、エンジンルームのスペースを大きくすることなく、コンデンサを効率よく冷却するエアコン装置、及びそのようなエアコン装置を備えた作業車両を得ることを目的とする。
【課題を解決するための手段】
【０００６】
本発明による、キャビンを備えた作業車両のためのエアコン装置は、ボンネットによって上方をカバーされたエンジンルーム内にエンジンとエンジン冷却用のラジエータユニットとが配置されるとともに、前記ボンネットにコンデンサハウジングが設けられ、さらに前記コンデンサハウジング内にエアコン用コンデンサが配置され、前記ラジエータユニットによって生成される冷却空気流が前記コンデンサハウジングに流れ込むように前記コンデンサハウジングと前記ラジエータユニットとが接続され、前記コンデンサハウジングは、前記ボンネットから外部に突き出した上側ハーフ部と前記ボンネットから前記エンジンルーム内に突き出した下側ハーフ部とからなり、前記上側ハーフ部と前記下側ハーフ部との境界領域に前記エアコン用コンデンサが配置されている。この構成によれば、コンデンサがボンネットに配置されているので、コンデンサがエンジンルーム内に要求するスペースは大きくなく、コンデンサが占める配置スペースはボンネット周辺の余り利用されていない領域である。このことから、このコンデンサの配置はエンジンルームのコンパクト化に貢献する。さらには、ボンネットはその裏面側はエンジンの熱にさらされることになるが、その表面側は外気と接触しており、エンジンルーム内においてボンネットの周辺領域は温度的には有利な領域であり、ボンネットに設けられたコンデンサハウジングにコンデンサを配置する構造の採用により、コンデンサへの熱負荷が低減される。さらに、コンデンサで利用される冷却空気流（冷却風）は、ラジエータユニットによって作り出されるので、コンデンサ専用のファンは不要となり、コスト的にも有利である。また、コンデンサハウジングの少なくとも一部が外気に常に触れていることからエンジンからの大きな熱負荷を受けにくく、その内部に収容されているコンデンサはより高い冷却効果が得られる。
【０００７】
本発明の好適な実施形態の１つでは、前記コンデンサハウジングに前記ラジエータユニットと連通する内側空気流通口と前記ボンネット外に開口する外側空気流通口とを有する空気流通路が形成されており、前記空気流通路に前記エアコン用コンデンサが配置されている。この空気流通路における冷却風の流れはラジエータユニットによって作り出されるが、内側空気流通口から外側空気流通口へ冷却風が流れる吹き出しタイプと、外側空気流通口から内側空気流通口へ冷却風が流れる吸い込みタイプとから、その冷却仕様によって選択することができる。それぞれのタイプによって、ラジエータユニットにおけるファンとファンシュラウドの形状等が変更される。
【０００８】
例えば、内側空気流通口をコンデンサのための空気流入口とするとともに外側空気流通口をコンデンサのための空気流出口とする場合ラジエータユニットのファンはコンデンサにとって送り込みファンとして機能し、外側空気流通口をコンデンサのための空気流入口とするとともに内側空気流通口をコンデンサのための空気流出口とする場合、ラジエータユニットのファンはコンデンサにとって吸い込みファンとして機能する。
【０００９】
本発明の好適な実施形態の１つでは、前記ボンネットの閉鎖位置と開放位置との間の開閉揺動に伴って前記コンデンサハウジングは前記閉鎖位置に対応する第１姿勢と前記開放位置に対応する第２姿勢の間で姿勢変更し、前記コンデンサハウジングは前記ボンネットの前記閉鎖位置における第１姿勢において前記コンデンサハウジングと前記ラジエータユニットとの間で冷却空気流が流通可能となるように前記ラジエータユニットと接続するように構成されている。この構成では、ボンネットは閉鎖位置に揺動されることで、コンデンサハウジングと前記ラジエータユニットとの間が冷却空気流が流通可能となるように接続される。従って、コンデンサハウジングとラジエータユニットとを常時つないでおくホース等が不必要となり、その引き回しのための無駄なスペースをなくすことができる。
【００１０】
本発明によるエアコン装置は、車体フレームと、車体フレーム内に形成されたエンジンルーム内に配置されたエンジン及びエンジン冷却用ラジエータユニットと、前記エンジンルームの上方をカバーするボンネットと、前記車体フレームに支持されたキャビンとからなる作業車両におけるエアコン装置のために採用されると好適である。コンデンサを含むコンデンサハウジングがボンネットに形成されるので、コンデンサハウジングが占有するエンジンルームのスペースが小さいこと、及びコンデンサハウジングが受ける熱負荷も従来に比べ比較的小さくなるからである。
【００１１】
さらに、本発明では、前記コンデンサハウジングが、前記ボンネットから外部に突き出した上側ハーフ部と前記ボンネットから前記エンジンルーム内に突き出した下側ハーフ部とからなり、前記上側ハーフ部と前記下側ハーフ部との境界領域に前記エアコン用コンデンサが配置されている。この構成では、コンデンサハウジングの少なくとも一部が外気に常に触れていることからエンジンからの大きな熱負荷を受けにくく、その内部に収容されているコンデンサはより高い冷却効果が得られる。
【図面の簡単な説明】
【００１２】
【図１】本発明の１つの実施形態を示すスキッドステアローダの側面図である。
【図２】図１によるスキッドステアローダの斜め後方からみた斜視図である。
【図３】コンデンサハウジングを取り付けたボンネットとエンジンルームを示す側面図である。
【図４】ボンネットに取り付けられたコンデンサハウジングとラジエータユニットを示し、（ａ）はその分解斜視図であり、（ｂ）はコンデンサハウジングとラジエータユニットとが接続した状態での斜視図である。
【図５】ボンネットの開閉カバー部の一連の揺動姿勢を説明する説明図である。
【図６】エアコン装置の配管を模式的に示す模式図である。
【発明を実施するための形態】
【００１３】
以下、本発明によるエアコン装置を搭載した作業車両の好適な実施形態の一例としてのスキッドステアローダを添付の図面に基づいて説明する。図１はスキッドステアローダの側面図であり、図２はそのスキッドステアローダの斜め後方からみた斜視図である。これらの図に示すように、スキッドステアローダは、メインフレームアッセンブリ１と、メインフレームアッセンブリ１に装着したブームアッセンブリ２と、メインフレームアッセンブリ１を支持する左右一対の走行アッセンブリ３とを備え、メインフレームアッセンブリ１の前部側にキャビン４が搭載されている。この実施形態におけるブームアッセンブリ２には、インプル（作業装置）としてバケットローダ作業装置が装着されているので、この作業車両はローダとして機能するが、これに代えて除雪作業装置などを装着することで、この社業車両を除雪機として機能させたりすることが可能である。
【００１４】
メインフレームアッセンブリ１は、図示は省略されているが、底部と、左右一対の側壁と、前後壁とを有する上方が開口した箱形フレーム１０を車体フレームとして備えている。箱形フレーム１０の後部には、ブームアッセンブリ２を装着するためのブーム支持部１１が左右一対で形成されている。このブーム支持部１１には、連結ピン等の連結部材を介してブームアッセンブリ２を装着するためのボス部が設けられている。さらに、箱形フレーム１０の後壁は後部ボンネット１２としての機能をもつべく、貫通孔が設けられており、箱形フレーム１０の内部空間と車両外部との間の空気流通を可能にしている。図２に示されているように、箱形フレーム１０の後壁からキャビン４に達する箱形フレーム１０の上方開放領域を覆うボンネット１３が設けられている。このボンネット１３の後方の大部分は開口されており、その開口を開放可能に揺動閉鎖する開閉カバー部１３ａがボンネット１３の構成部材として設けられている。
【００１５】
ブームアッセンブリ２は図１と図２に示すように、メインフレームアッセンブリ１の左右両側に配置された左右一対のブーム２１とブーム２１の先端に装着されたバケット（作業具の一種）２２とを備えている。左右一対のブーム２１は、メインフレームアッセンブリ１の後上部に基部側が第１リフトリンク２３と第２リフトリンク２４とを介して上下揺動自在に支持されている。左右一対のブーム２１の基部側とブーム支持部１１の下部との間に設けられた複動式油圧シリンダからなる左右一対のブームシリンダ２５によって、ブーム２１の先端側がメインフレームアッセンブリ１の前方側で昇降する。第１リフトリンク２３は、その基部がブーム支持部１１の後上部に設けられたボス部に横断方向の揺動軸２６ａ回りで揺動自在に枢着されており、先端部がブーム２１の基部に左右方向の揺動軸２６ｂ回りで揺動自在に連結されている。第２リフトリンク２４は、その基部がメインフレームアッセンブリ１のブーム支持部１１の前側上部に設けられたボス部に横断方向の揺動軸２６ｃ回りで揺動自在に枢着されており、その先端部がブーム２１の基部から先端側へ離れた位置に横断方向の揺動軸２６ｄ回りで揺動自在に連結されている。そして、ブームシリンダ２５は、その基部がメインフレームアッセンブリ１のブーム支持部１１の後側下部に設けられたボス部に横断方向の揺動軸２６ｅ回りで揺動自在に枢着されており、そのピストンロッドの先端部がブーム２１の基部から先端側へ離れた位置に左右方向の揺動軸２６ｆ回りで揺動自在に連結されている。揺動軸２６ｆは、揺動軸２６ｅよりもブーム２１の先端側の位置とされている。これによって、左右一対のブーム２１は、キャビン４に干渉することなくキャビン４の左右両側で上下揺動自在に支持される。バケット２２はブラケット２２ａを介してブーム２１の先端部に左右方向の揺動軸２６ｇ回りで揺動自在に支持されており、複動式油圧シリンダからなるバケットシリンダ２７により揺動動作（スクイ・ダンプ動作）される。
【００１６】
走行アッセンブリ３は、それ自体公知であるので、詳しく述べないが、図1と図２から明らかなように、トラックフレーム３１に支持された前後一対の従動輪３２と、これら前後一対の従動輪３２間の上方に配置された駆動輪３３と、下方に配置された複数の転輪３４とを有し、これら従動輪３２、駆動輪３３及び転輪３４にクローラ３５を巻き掛けてなるクローラ走行アッセンブリにより構成されている。左右一対の走行アッセンブリ３は、トラックフレーム３１がメインフレームアッセンブリ１の箱形フレーム１０の左右両側の側壁に固定されることによってメインフレームアッセンブリ１を走行可能に支持している。駆動輪３３が図示されていない左右一対の独立制御される油圧式モータにより回転駆動されることで、このスキッドステアローダを前後進動作及び左右旋回動作させる。
【００１７】
キャビン４は、図1と図２から理解できるように箱状に形成されており、内部に運転席などの配置された運転室４０が形成されている。図示は省略されているが、キャビン４の後部に設けられたブラケットが箱形フレーム１０に設けられた支持ブラケットに揺動軸を介して連結されていることによりキャビン４は揺動自在となっている。このキャビン４の揺動により、キャビン４によって覆われていた箱形フレーム１０の前方領域が露出し、この前方領域に配置されているオイルタンクや燃料タンクの保守点検が容易となる。運転者の運転室４０への乗車と降車は、ここでは図示されていない、キャビン５の前側に設けられたドアを通じて行われる。
【００１８】
運転室４０内に配置されている運転席は箱形フレーム１０側に支持されており、その左右に走行系操作レバーとローダ作業系操作レバーとが設けられている。キャビン４の前後面には視界性のよい大型のウインドガラスが装着されており、また、キャビン４の左右両側面には、運転者の視界を確保するために多数の小孔が設けられている。キャビン４の上面や底面は、実質的に閉鎖されており、キャビン４の閉鎖により運転室４０は閉鎖空間となる。このため、この運転室４０の移住環境を良好にするための空調システムを構成するエアコン装置５が、このスキッドステアローダには搭載されている。図２から理解できるように、このエアコン装置５のコンデンサ６０がボンネット１３の開閉カバー部１３ａに形成されたコンデンサハウジング７に収容されている。
【００１９】
図３は、メインフレームアッセンブリ１を構成する箱形フレーム１０の後方領域に形成されたエンジンルーム１００に配置された動力部８と、ボンネット１３の開閉カバー部１３ａに形成されたコンデンサハウジング７を側面視で示している。このコンデンサハウジング７にはエアコン装置５のコンデンサ６０が収納されている。
【００２０】
動力部８は、エンジン８１と、エンジン８１と後部ボンネット１２の間に配置されたエンジン冷却装置としての縦置きのラジエータユニット９と、エンジン８１の前方に配置された油圧式変速装置（ＨＳＴ）８３とを備えている。さらに、図示されていないが、油圧式変速装置８３の前方に３連のギヤポンプであるオイルポンプや、作動油タンク、油圧制御装置が配置されている。油圧式変速装置８３は、走行アッセンブリ３のここでは図示されていない油圧式モータへの作動油の供給量を調整することにより変速するものである。走行アッセンブリ３の油圧式モータの回転方向の切替は、キャビン４内に設けられた、ここでは図示されていない走行系操作レバーの左右又は前後の選択操作により行われ、また、油圧式モータの回転速度の調整は、走行系操作レバーの操作角度の大きさに比例して行われる。
【００２１】
ラジエータユニット９は、ラジエータ本体９０と、ラジエータ本体９０に隣接しているファンシュラウド９１と、ファンシュラウド９１内に配置されたファン９２を備えている。ファン９２は、詳しく図示されていないベルト伝動機構を介してエンジン動力によって回転駆動される。また、同様にベルト伝動機構を介してエンジン動力によって回転駆動されるエアコン装置５用コンプレッサ５１が、コンデンサハウジング７とエンジン８１との間に配置され、エンジン８１の上端部に取り付けられている。図４にわかりやすく示されているように、ファンシュラウド９１の上部には接続ノズル部９３が設けられており、この接続ノズル部９３の周壁端面が平坦な接続面９３ａとして形成されている。コンデンサハウジング７の下面にも接続開口部７０が設けられており、ファンシュラウド９１の接続ノズル部９３は、コンデンサハウジング７の接続開口部７０と付き合わせ接続可能である。良好な密封接続性を得るために、接続開口部７０の開口周部と接続ノズル部９３の開口周部には、それぞれ対応する寸法形状を有する平坦な接続面７０ａと接続面９３ａが形成されている。ファンシュラウド９１とコンデンサハウジング７との接続によって、接続開口部７０の開口周部によって境界付けられたコンデンサ側冷却風接続口９４と、接続ノズル部９３の開口周部によって境界付けられたラジエータ側冷却風接続口とが連通することになる。
【００２２】
この実施形態では、コンデンサハウジング７内での冷却風の流れ方向は、ラジエータユニット９からコンデンサハウジング７への方向であり、ファン９２はコンデンサハウジング７への吹き出しタイプとして機能している。従って、ファン９２は模式的にしか示されていないが、エンジン８１の周囲を通り抜けて吸引した冷却風をラジエータ本体９０に送り込むことで、エンジン８１とラジエータ本体９０を冷却する。さらに、このファン９２によって作り出される冷却風はファンシュラウド９１の接続ノズル部９３とコンデンサハウジング７と接続開口部７０とを通じてコンデンサハウジング７にも送り込まれる。
【００２３】
図４から理解できるように、ボンネット１３の中央領域は開閉カバー部１３ａとして形成されており、この開閉カバー部１３ａは支持ブラケット１３ｂによって箱形フレーム１０または固定のボンネット部分に揺動可能に支持されている。開閉カバー部１３ａにはその中央部にかなり大きな開口が設けられており、その開口にコンデンサハウジング７が装着されている。
【００２４】
コンデンサハウジング７は、実質的に箱型（直方体）形状であり、底壁部７１、側壁部７２、カバー状の天壁部７３とからなる。図３と図４とから明らかなように、コンデンサハウジング７の上側ハーフ部７Ａが開閉カバー部１３ａから外側に突き出ており、コンデンサハウジング７の下側ハーフ部７Ｂが開閉カバー部１３ａから内側に突き出ている。天壁部７３には、冷却風を放出する主流出口７３ａとして外側空気流通口が形成されているとともに、さらにこの主流出口７３ａを補うためにその両側または片側に補助流出口７３ｂが形成されている。底壁部７１の後方側には、内側空気流通口として上述した接続開口部７０が形成されており、残りの底面領域は前方に行くほど高くなるように傾斜面として形成されている。つまり、接続開口部７０からその横断面積が上側に徐々に広がった上向きラッパ状の内部空間がコンデンサハウジング７の下側ハーフ部７Ｂに形成されている。このコンデンサハウジング７は、内側空気流通口としての流入口を作り出している接続開口部７０から外側空気流通口としての主流出口７３ａ及び補助流出口７３ｂに至る空気通路を作り出している。この空気通路の途中で、コンデンサハウジング７の上側ハーフ部７Ａと下側ハーフ部７Ｂとのほぼ境界領域に薄い直方体状のコンデンサ６０前方下方にやや傾斜した傾斜姿勢で配置されている。コンデンサ６０の断面積は、空気通路の流れ断面にほぼ一致しているので、ファンシュラウド９１の接続ノズル部９３から送り込まれてきた冷却風をコンデンサ６０はその全面で受けることができ、効率のよいコンデンサ６０の冷却が可能となる。さらには、コンデンサハウジング７の下側ハーフ部７Ｂはエンジンルーム１００の熱気にさらされているが、コンデンサハウジング７の上側ハーフ部７Ａはエンジンルーム１００の空気より通常は低い温度である外気にさらされており、コンデンサ６０はそのほぼ境界領域に配置されていることから、直接エンジンルーム１００の熱気にさらされている配置に比べてその熱負荷が小さい。なお、コンデンサ６０の下面には、エアコン冷媒の流入用管接続部６２と流出用管接続部６３が設けられている。天壁部７３に横方向に細長く延びるように形成された主流出口７３ａは、雨などは入りにくくするためその幅は狭くされているが、なおそこから入り込んでくる雨水等が直接コンデンサ６０にかかることを避けるために、樋部７３ｃが設けられている。この樋部７３ｃはその一端側を天壁部７３の裏面に取り付けられ、その自由端が主流出口７３ａを通じて入り込んでくる雨水等を受け止めるべく凹湾曲状にに曲げられ、樋を作り出している。この樋部７３ｃは、コンデンサ６０の両端から所定長さだけオーバーハングする長さを有しており、受け止められた雨水等はコンデンサ６０の外側で落下することになる。
【００２５】
上述したように、コンデンサハウジング７を装着している開閉カバー部１３ａは支持ブラケット１３ｂによって箱形フレーム１０または固定されているボンネット部分に対して揺動可能に支持されているので、ボンネット１３の開閉カバー部１３ａの開閉揺動に伴って結果的に箱形フレーム１０に対して、つまりラジエータユニット９に対して揺動動作を行う。開閉カバー部１３ａにおけるコンデンサハウジング７の取り付け姿勢は、開閉カバー部１３ａが閉鎖位置に揺動した際に、コンデンサハウジング７と接続開口部７０とファンシュラウド９１の接続ノズル部９３とが接続するように設定されている。なお、その際の接続ノズル部９３の接続面９３ａと接続開口部７０の接続面７０ａとの接続密封性を確保するため、接続面９３ａと接続面７０ａとの間に弾性封止部材９５が介装されることが好適である。
【００２６】
ボンネット１３の開閉カバー１３ａを図５の（ａ）に示す閉鎖位置から、ガススプリング７６の補助力を受けて、図５の（ｂ）に示す開放位置に開放することにより、コンデンサハウジング７の接続開口部７０もファンシュラウド９１の接続ノズル部９３から離脱するので、その開口を通じてのコンデンサ６０の状態をチェックすることができる。これにより、コンデンサの保守点検も容易となる。
【００２７】
上述したコンデンサ６０を含む、エアコン装置５の模式的な配管図が図６に示されている。このエアコン装置５は、自動車用エアコンとしてよく知られているように、コンプレッサ５１と、コンデンサ６０と、クーリングユニット５２と、空調ダクト５４と、これらの構成要素を連結する連結パイプ５３ａ、５３ｂ、５３ｃ、及び図示されていないタンクから構成されている。コンプレッサ５１で高圧化され、温度が高くなった冷媒はコンデンサ６０で冷やされ、クーリングユニット５２で低圧化に伴って熱を奪う吸熱（蒸発）プロセスが行われる。クーリングユニット５２は蒸発器として機能するので、そこで冷却された空気は、空調ダクト５４を通って、キャビン４内の運転室４０に開口したエアコン吹き出し口から冷却空気を放出する。暖房時にはクーリングユニット５２は、空気を冷却除湿した後に過熱を行うリヒート機能を実行するが、その説明は省略する。
【００２８】
上述した実施形態では、コンデンサハウジング７内での冷却風の流れ方向をラジエータユニット９からコンデンサハウジング７への方向とし、ファン９２はコンデンサハウジング７への吹き出しタイプとして機能していたが、これに代えて、コンデンサハウジング７内での冷却風の流れ方向をコンデンサハウジング７からラジエータユニット９への方向とし、ファン９２をコンデンサハウジング７へ外気を吸い込む吸い込みタイプとして機能させてもよい。つまり、ファン９２はエンジン８１の傍を通過させながら吸い込む空気流とコンデンサ６０を通過させながら吸い込む空気流とを合流させた空気流をラジエータ本体９０に送り込むことになる。この場合、コンデンサ６０には外気である新鮮な空気が直接送り込まれるという利点が得られる。
【００２９】
上述した実施形態において、一つの実施形態の特徴は他の実施形態の特徴と組み合わせることができ、そのような組み合わせは、矛盾が生じない限り、本発明の範囲に含まれることをここに明記しておく。
【符号の説明】
【００３０】
４：キャビン
１０：箱形フレーム
１３：ボンネット
１３ａ：開閉カバー部
４０：運転室
５：エアコン装置
６０：コンデンサ
７：コンデンサハウジング
７Ａ：上側ハーフ部
７Ｂ：下側ハーフ部
７０：流入口（接続開口部）
７１：底壁部
７２：側壁部
７３：天壁部
７３：ダクト空間部
７３ａ：流出口
７４：熱遮断カバー
７１ａ：開口部
１００：エンジンルーム
【図１】
0005385708.tif 000002
【図２】
0005385708.tif 000003
【図３】
0005385708.tif 000004
【図４】
0005385708.tif 000005
【図５】
0005385708.tif 000006
【図６】
0005385708.tif 000007